(57)【特許請求の範囲】
【請求項１】
鏡胴の前面には、前記鏡胴内のレンズを保護するバリアと前記バリアを開閉駆動するバリア駆動部材が回転可能に設けられ、
前記鏡胴には、前記バリア駆動部材の裏側に、前記鏡胴の内部に通じる長孔が設けられ、
前記バリア駆動部材には、前記長孔をその短軸方向においてほぼ隙間のない状態で挿通する脚部が設けられているカメラにおいて、
前記鏡胴の内部には、底を有する溝が形成された溝部材が、前記溝の開口を前記長孔にほぼ対向させた状態で設けられ、
前記バリア駆動部材の前記脚部は、前記長孔を通って前記溝に係合しており、
前記長孔は、前記バリア駆動部材が回転可能なように、前記脚部を長孔の長軸方向に沿って移動させることができる形状であることを特徴とするカメラ。
【請求項２】
前記溝部材の開口の周囲を形成する面は、鏡胴を構成する円筒形状の部材に連続していることを特徴とする請求項１に記載のカメラ。
【請求項３】
前記溝部材と前記バリア駆動部材は一体に同一の方向に回転するように構成され、
前記バリアは、前記溝部材と前記バリア駆動部材との回転方向に応じて開閉されるようになっており、
前記溝部材に対して前後方向に移動可能な状態で係合する係合部材と、
外部から操作され、前記鏡胴を駆動する駆動回路と接続されている操作ツマミと、
前記操作ツマミと一体に作動し、前記バリアが閉状態のときに前記係合部材の後部に当接する当接部材とを備え、
前記バリアが閉状態のときに前記操作ツマミが操作されると、前記当接部材が前記係合部材の後部から外れて前記係合部材が前記溝部材に対して後退できるようになり、これによって前記溝部材と前記バリア駆動部材が所定の方向に回転して前記バリアが開状態になり、その後、前記鏡胴が繰り出され、
前記バリアが開状態のときに前記操作ツマミが操作されると、前記鏡胴とともに前記係合部材が後退していき前記係合部材の後部が前記当接部材に当接され、これによって前記係合部材が前記溝部材に対して前進すると、前記溝部材と前記バリア駆動部材が前記所定の方向とは逆の方向に回転し前記バリアが閉状態になるように構成されていることを特徴とする請求項１または２に記載のカメラ。
【発明の詳細な説明】
【０００１】
【発明の属する技術分野】
この発明は、レンズの前面にバリアが設けられたカメラに関する。
【０００２】
【従来の技術】
従来、鏡胴の前面にバリアを設け、このバリアを開閉駆動するように構成されたカメラが知られている。このようなカメラにおいては、前記バリアを駆動するために、鏡胴の前面に、たとえばリング状の駆動部材を設ける。そして、鏡胴の前部に穴を形成し、この穴に、前記駆動部材の脚部を通し、カメラ内部のレバー部材等に当接させ、該レバー部材を介して駆動部材を駆動し、バリアを開閉するようになっていた。
【０００３】
【発明が解決しようとする課題】
しかしながら、前記のカメラでは、駆動部材の脚部を通すために鏡胴の前部に穴を形成するため、外光がこの穴からカメラ内部に入り込み、前記レバー部材等に沿ってフィルム面まで到達し、フィルムが露光されてしまうおそれがあった。
また、前記穴に填め込まれる前記駆動部材は、バリアを駆動するために回転等の動作するように構成されていることから、前記穴の周辺を完全に遮光することは難しいことであった。
【０００４】
この発明は、上記実状に鑑みてなされたもので、バリアを備えるカメラにおいて、外光によりフィルムが露光されることのないカメラを提供することを目的としている。
【０００５】
【課題を解決するための手段】
以下において、括弧により実施の形態に対応する構成を一例として示す。実施の形態と同一の用語を使用している場合には、符号のみ記す。上記課題を解決するため、本発明の請求項１に記載の発明は、鏡胴（２）の前面には、前記鏡胴内のレンズを保護するバリア（２１、２５）と前記バリアを開閉駆動するバリア駆動部材（リング部材３０）が回転可能に設けられ、前記鏡胴には、前記バリア駆動部材の裏側に、前記鏡胴の内部に通じる長孔（貫通孔８ｂ）が設けられ、前記バリア駆動部材には、前記長孔をその短軸方向においてほぼ隙間のない状態で挿通する脚部が設けられているカメラ（１）において、前記鏡胴の内部には、底を有する溝（４１）が形成された溝部材（カム部材４０）が、前記溝の開口を前記長孔にほぼ対向させた状態で設けられ、前記バリア駆動部材の前記脚部は、前記長孔を通って前記溝に係合しており、前記長孔は、前記バリア駆動部材が回転可能なように、前記脚部を長孔の長軸方向に沿って移動させることができる形状であることを特徴とする。
【０００６】
請求項１に記載の発明によれば、バリアを開閉駆動するバリア駆動部材の脚部は、バリア駆動部材の裏側に設けられている長孔に対してその短軸方向においてほぼ隙間のない状態で挿通され、さらに溝部材に形成されている底を有する溝に係合するようになっており、前記溝の開口は前記長孔にほぼ対向していることから、脚部と長孔の間のわずかな隙間から入った外光が脚部に沿って溝部材に入ったとしても、溝は底を有するので、溝部材を通り抜けることはできず、フィルムの方に外光が到達することを防ぐことができる。また、溝の開口が前記長孔にほぼ対向しているということは、長孔が開口の周囲によって、つまり溝部材により被われていることにもなり、その点においても長孔から入った外光がカメラ内部に進行しにくくなる。
【０００７】
請求項２に記載の発明は、請求項１に記載のカメラにおいて、
前記溝部材の開口の周囲を形成する面は、鏡胴を構成する円筒形状の部材に連続していることを特徴とする。
【０００８】
請求項２に記載の発明によれば、溝部材の開口の周囲を形成する面が、鏡胴を構成する円筒形状の部材に連続しているので、前記長孔は、溝部材だけでなく溝部材に連続する円筒形状の部材によっても被われており、より一層孔から入射した外光はフィルムに達しにくくなる。ここで、「鏡胴を構成する円筒形状の部材」とは、レンズ枠やカム筒等であり、周面は内周面でも外周面でもよい。
【０００９】
請求項３に記載の発明は、請求項１または２に記載のカメラにおいて、
前記溝部材と前記バリア駆動部材は一体に同一の方向に回転するように構成され、
前記バリアは、前記溝部材と前記バリア駆動部材との回転方向に応じて開閉されるようになっており、
前記溝部材に対して前後方向に移動可能な状態で係合する係合部材（レバー４５）と、
外部から操作され、前記鏡胴を駆動する駆動回路（制御回路１５）と接続されている操作ツマミ（２０）と、
前記操作ツマミと一体に作動し、前記バリアが閉状態のときに前記係合部材の後部に当接する当接部材（カギ板５０）とを備え、
前記バリアが閉状態のときに前記操作ツマミが操作されると、前記当接部材が前記係合部材の後部から外れて前記係合部材が前記溝部材に対して後退できるようになり、これによって前記溝部材と前記バリア駆動部材が所定の方向に回転して前記バリアが開状態になり、その後、前記鏡胴が繰り出され、
前記バリアが開状態のときに前記操作ツマミが操作されると、前記鏡胴とともに前記係合部材が後退していき前記係合部材の後部が前記当接部材に当接され、これによって前記係合部材が前記溝部材に対して前進すると、前記溝部材と前記バリア駆動部材が前記所定の方向とは逆の方向に回転し前記バリアが閉状態になるように構成されていることを特徴とする。
【００１０】
本発明のカメラでは、バリア駆動部材の脚部を通す長孔からの外光を溝部材により防ぐため、結局、バリアの開閉時にバリア駆動部材と溝部材を駆動しなければならない。請求項３に記載の発明によれば、当接部材や係合部材を介して、バリア駆動部材と溝部材の両方の部材を回転駆動し、バリアを開閉するように構成されていることから、請求項１または２の発明を好適に実現できる。
【００１１】
【発明の実施の形態】
以下、この発明の実施の形態について、図面を参照しながら説明する。
図１は、本発明のカメラの一例としてのカメラ１を示したもので、鏡胴２がカメラ１内部に収納された状態を示す断面図である。図２および図３は、図１のときの各部材の状態を示す平面図であり、図４は、図１の一部を示す拡大図である。
【００１２】
鏡胴２は、円筒形状に形成された、固定筒３、回転筒４、直進筒５、カム筒６、直進キー環７、第１レンズ枠８、第２レンズ枠９、および第３レンズ枠１０から主に構成される。
固定筒３は、カメラ１に対して固定して取り付けられており、内周面にヘリコイドネジ３ａが形成されている。内周面には、直進筒５の凸部５ａが係合する直進溝（図示せず）が前後方向に設けられている。
回転筒４は、固定筒３の内側に設けられており、外周面に、前記ヘリコイドネジ３ａと螺合するヘリコイドネジ４ａが形成されている。また、この回転筒４には、カメラ１に設けられている図示しないズームスイッチを操作することにより回転する駆動ギアに対して、噛み合うギア部（図示略）が設けられている。回転筒４は、前記駆動ギアが回転すると、前記ギア部とヘリコイドネジ４ａにより、回転しながら、固定筒３に対して前後に移動するになっている。
【００１３】
直進筒５は、回転筒４の内側に設けられている。直進筒５は、回転筒４とともに前後に移動するように構成されているが、後端部の外周面に形成されている凸部５ａが固定筒３の前記直進溝に係合していることから、回転しないで直進するように規制されている。また、直進筒５の内周面には、ヘリコイドネジ５ｂが形成されている。
【００１４】
カム筒６は、直進筒５の内側に設けられており、その後部にカム筒６の壁部を貫通する突起軸６ａ、６ａが設けられている。この突起軸６ａ、６ａは、カム筒６の外側にあっては、直進筒５を貫いて回転筒４の内周面に係合し、一方、内側にあっては、直進キー環７の後部に形成されている周方向に沿う切欠き７ｂに填め込まれている。
また、カム筒６の内周面には、第１〜第３レンズ枠８、９、１０の各コマが係合する複数のカム溝（図示せず）が形成されている。
さらに、カム筒６の外周面には、前記ヘリコイドネジ５ｂに螺合するヘリコイドネジ６ｂが形成されている。
カム筒６は、回転筒４が回転すると突起軸６ａ、６ａを介して同一方向に回転し、その回転の際、ヘリコイドネジ６ｂにより、直進筒５に対して前後に移動するようになっている。
【００１５】
直進キー環７は、カム筒６の内側に設けられており、その後部に前述のようにカム筒６の突起軸６ａ、６ａが填め込まれていることから、カム筒６とともに前後に移動する。直進キー環７の後部７ａは前記直進筒５に填め込まれており、前後に移動する際に直進するよう規制されている。
直進キー環７には、第１〜第３レンズ枠の各コマが係合する、図示しない細溝あるいは細孔が前後方向に矩形状に形成されている。
【００１６】
第１レンズ枠８は、第１レンズ群１１を保持するもので、その側部は回転筒６と直進キー環７との間に位置する。また、第１レンズ枠８の後部に設けられているコマ８ａ、８ａは、カム筒６の前記カム溝と、直進キー環７の前記細溝に填め込まれている。
また、第１レンズ枠８には、リング部材３０の裏側に、リング部材３０の脚部３８が挿通する長孔状の貫通孔８ｂが形成されている。
第２レンズ枠９は、第２レンズ群１２を保持するもので、直進キー環７の内側に設けられている。この第２レンズ枠９の後部に設けられているコマ９ａは、直進キー環７の前記細孔を貫いてカム筒６の前記カム溝に係合している。
第３レンズ枠１０は、第３レンズ群１３を保持するもので、直進キー環７の内側であって、第２レンズ枠９の後方に設けられている。この第３レンズ枠１０の後部に設けられているコマ１０ａは、直進キー環７の前記細孔を貫いてカム筒６の前記カム溝に係合している。
これら第１〜第３レンズ枠８，９，１０は、各コマが、直進キー環７の前記細溝や前記細孔に係合していることから直線的に前後するように規制されており、カム筒６が回転すると、カム筒６に対して、それぞれが前後に移動するようになっている。
【００１７】
上記鏡胴２では、カメラ１に設けられている操作ツマミ２０あるいは図示しないズームスイッチが操作されると、上記の回転筒４が回転駆動され、これにより、第１レンズ枠８、第２レンズ枠９、第３レンズ枠１０がそれぞれ所定の位置に移動し、所定の倍率に設定されるようになっている。
【００１８】
前記鏡胴２の前面は、カメラ１を使用しないときには、図１、図３に示すようにバリア２１、２５によって被われ、レンズが保護されるようになっている。なお、図３は、鏡胴２を正面から見た平面図であるが第１レンズ枠８を省略している。
このバリア２１、２５は、操作ツマミ２０が操作されることによって、鏡胴２の前面を被う閉状態または鏡胴２の前面から退避する開状態になるよう駆動され、この開閉駆動は、主に、リング部材３０、カム部材４０、レバー４５、およびカギ板５０により行われれる。
【００１９】
バリア２１は、その一端部において、第１レンズ枠８に設けられた回転軸２２に対して、該回転軸２２を中心に回動可能な状態で取り付けられている。また、前記一端部近傍には、前方に向かって突起２１ｂが設けられ、この突起２１ｂは、リング部材３０の長孔３１に挿通されており、その先端に第１バネ２３の一端が係止されている。この第１バネ２３の他端はリング部材３０のバネ掛け部３２に掛けられている。バリア２１は、この第１バネ２３により、時計方向に付勢されている。バリア２１の先端部２１ａは、第１レンズ枠８の前面に設けられたストッパ２４に当接するようになっており、バリア２１は先端部２１ａがストッパ２４に当接するとそれ以上時計方向に回転できないようになっている。
【００２０】
バリア２５も、バリア２１と全く同様の構造を有する。すなわち、その一端部において、第１レンズ枠８に設けられた回転軸２６に対して、該回転軸２６を中心に回動可能な状態で取り付けられている。また、前記一端部近傍には、前方に向かって突起２５ｂが設けられ、この突起２５ｂは、リング部材３０の長孔３３に挿通されており、その先端に第２バネ２７の一端が係止されている。この第２バネ２７の他端はリング部材３０のバネ掛け部３４に掛けられ、バリア２５は第２バネ２７により時計方向に付勢されている。バリア２５の先端部２５ａは、第１レンズ枠８の前面に設けられたストッパ２８に当接するようになっており、バリア２５は先端部２５ａがストッパ２８に当接するとそれ以上時計方向に回転できないようになっている。
カメラ１では、バリア２１、２５それぞれが、ストッパ２４、２８に当接した状態のときに、鏡胴２の前面が完全に被われた閉状態となる。
【００２１】
バリア駆動部材であるリング部材３０は、図５に示すような環状の部材であり、前述のように、長孔３１、３３、バネ掛け部３２、３４が設けられている。３１ａ、３３ａは長孔３１、３３を形成する周縁部である。
リング部材３０には、さらに別のバネ掛け部３５が設けられ、このバネ掛け部３５に、第３バネ３６の一端が掛けられている。この第３バネ３６の他端は、カザリ環３７（図１）の裏面に掛けられている。
この第３バネ３６は、リング部材３０を図３の時計方向に付勢しており、その付勢力は第１バネ２３、第２バネ２７の付勢力よりも大きく設定されている。
さらに、リング部材３０の裏面には後方に延出する脚部３８（図４）が設けられている。この脚部３８は、第１レンズ枠８に形成された長孔状の貫通孔８ｂ（図４）にその短軸方向においてほぼ隙間のない状態で挿通されるように形成され、貫通孔８ｂを通ってカム部材４０の溝４１に差し込まれる。これにより、リング部材３０は、カム部材４０とともに一体に回転するようになっている。
また、リング部材３０の内側は、前方に向かって立ち曲げられた立ち曲げ部３９となっている。
【００２２】
カム部材（溝部材）４０は、第１レンズ枠８の後方において第２レンズ枠９の内周面に被われるように取り付けられた円筒形状の部材である。カム部材４０の前部には、リング部材３０の脚部３８が填め込まれる溝４１が形成されており、この溝４１はカム部材４０を貫通せず底を有し、溝４１の開口は前記貫通孔８ｂに対向している。
また、カム部材４０の外周面には、図２に示すように、平面視台形に切り込まれた切欠き４２が形成され、台形を画成する１つの面が、後述のボス４８が当接するカム面４２ａとなっている。
【００２３】
このカム部材４０の外周面には突起４０ａが設けられ、この突起４０ａに第４バネ４３の一端が掛けられている。第４バネ４３の他端は第２レンズ枠９の内周面に掛けられており、カム部材４０は第４バネ４３により図２あるいは図３における時計方向に付勢されている。
前述のようにカム部材４０とリング部材３０は一体に回転するようになっており、リング部材３０は第３バネ３６により、カム部材４０は第４バネ４３により、時計方向に付勢されているので、結局、リング部材３０とカム部材４０は、第３バネ３６と第４バネ４３とによって、まとめて、時計方向に付勢されている状態である。逆に言えば、カム部材４０とリング部材３０の少なくとも一方に対して、これらバネ３６、４３に抗した力が掛かれば、双方とも回転できなくなる。
【００２４】
レバー４５は、図２に示すように、棒状の部材であり、長穴４６、４６が形成されている。この長穴４６，４６に、第２レンズ枠９の外周面に取り付けられたネジ４７，４７が係合しており、レバー４５は、第２レンズ枠９に対してネジ４７、４７に沿うように前後方向（図２の上下方向）に摺動可能となっている。
レバー４５の前部の下面側にはボス４８が設けられており、このボス４８は第２レンズ枠９を貫通して、前記カム面４２ａに当接している。
【００２５】
カメラ１では、図２、図３の状態のときには、レバー４５のボス４８が前記カム面４２ａに当接することによって、リング部材３０およびカム部材４０に対して、第３バネ３６と第４バネ４３の付勢力に抗した力が掛かっている。
したがって、ボス４８が図２の状態から後退できる状態になれば、第３バネ３６と第４バネ４３の付勢力により、リング部材３０およびカム部材４０が時計方向に回転するようになっている。
【００２６】
操作ツマミ２０は、カメラ１の背面部に設けられ、カメラ１内部の制御回路１５に電気的に接続されている一方、取付板５１を介してカギ板５０と一体になっているものである。操作ツマミ２０はカメラ１の左右方向にスライド駆動されるようになっており、カメラ１では、操作ツマミ２０をスライド操作することで、バリア２１、２５の開閉動作と鏡胴２の前後動が連動して行われるようになっている。
操作ツマミ２０、取付板５１およびカギ板５０は、一端がカメラ１内部の壁体に他端がカギ板５０に係止されているバネ５２により一定の方向に付勢されており、外力が加えられなければ、バネ５２により図１の状態になる。
【００２７】
カギ板５０は本発明における当接部材であり、カギ板５０の先端部５０ａは上下方向から見るとＬ字型となっており、図２のように、この先端部５０ａが前記レバー４５の後端部４５ａに当接すると、レバー４５がこの状態以上後方に移動できないようになっている。
このカギ板５０は、図２の状態のときに操作ツマミ２０がスライド操作されると、先端部５０ａが矢印Ａの方向に逃げるようになっており、これによりレバー４５は後方に移動できるようになる。
【００２８】
上記構成のカメラ１のバリア開閉の動作について説明する。
カメラ１では、バリア２１、２５が閉状態のとき（図１、図２、図３の状態）に操作ツマミ２０をスライド操作すると、カギ板５０の先端部５０ａが前述のように図２の矢印Ａ方向に移動し、レバー４５が後方に移動可能となる。すると、第４バネ４３および第３バネ３６の付勢力により、カム部材４０のカム面４２ａがボス４８を介してレバー４５を後方に押しつつ、カム部材４０およびリング部材３０が、時計方向に回転し、図６の状態になる。
【００２９】
リング部材３０が時計方向に回転すると、第３バネ３６の付勢力により、長孔３１の周縁部３１ａの下部分によって、バリア２１の前記突起２１ｂが上方に押されて、バリア２１は回転軸２２を中心に反時計方向に回転し、鏡胴２の前面から退避する。
バリア２５についても同時に、長孔３３の周縁部３３ａの上部分によってバリア２５の前記突起２５ｂが下方に押されて、バリア２５は回転軸２６を中心に反時計方向に回転し、鏡胴２の前面から退避する。
これにより、図７に示すように、バリア２１、２５が開状態になる。
この図７のとき、第１バネ２３によりバリア２１の突起２１ｂが長孔３１の周縁部３１ａの下部分に押し付けられた状態であり、第２バネ２７によりバリア２５の突起２５ｂが長孔３３の周縁部３３ａの上部分に押し付けられた状態となっている。
【００３０】
一方、操作ツマミ２０の操作により、制御回路１５の制御の下前記駆動ギアが駆動されて、バリア２１、２５が開状態になった後、鏡胴２が最少倍率（ワイド）の状態にまで繰り出され、図８の状態になる。図８からも分かるように、レバー４５は、後端部４５ａがフリーの状態で、第２レンズ枠９とともに移動する。
また、レバー４５がカギ板５０の近傍から離れると、バネ５２の付勢力により操作ツマミ２０、取付板５１、カギ板５０が図１の状態に戻る。
【００３１】
カメラ１では、鏡胴２が一端繰り出された後は、前記ズームスイッチを操作することにより鏡胴２が駆動されて所定の倍率に設定される。
なお、倍率が大きくなるほど、各レンズ群同士の距離は離れ、リング部材３０とカム部材４０との間も離れる。図９に示すように、最大倍率であるテレ状態になると、リング部材３０の脚部３８が、カム部材４０の溝４１から外れてしまう。
【００３２】
また、鏡胴２が繰り出された状態から、操作ツマミ２０が操作されると、鏡胴２の第１、第２、第３レンズ枠８、９、１０が後方に移動するようになる。鏡胴２全体がほぼ収納された状態になると、レバー４５の後端部４５ａが、すでに最初の状態に戻っているカギ板５０の先端部ａに当接する。レバー４５はこの状態以上後方に移動できなくなるが、なお第２レンズ枠９は後方に移動しようとするので、結局、レバー４５のボス４８にカム面４２ａが押されることによって、第４バネ４３および第３バネ３６の付勢力に抗して、カム部材４０およびリング部材３０が、反時計方向に回転する。
これにより、リング部材３０の長孔３１も反時計方向に回転し、長孔３１の周縁部３１ａがバリア２１の突起２１ｂから離れていき、バリア２１は第１バネ２３の付勢力により時計方向に回転し、ストッパ２４に当接したところで回転を停止する。バリア２５についても同様に、長孔３３の周縁部３３ａがバリア２５の突起２５ｂから離れていき、バリア２５は第２バネ２７の付勢力により時計方向に回転し、ストッパ２８に当接したところで回転を停止する。これにより、バリア２１、２５は図３の閉状態に戻る。
なお、バリア２１、２５がストッパ２４、２８に当接した後も、リング部材３０は少し回転するが、第１バネ２３、第２バネ２７が延びてその回転により掛かる力を吸収するので、バリア２１、２５には影響しない。
【００３３】
以上のカメラ１によれば、底を有する溝４１が形成されたカム部材４０が、溝４１の開口を貫通孔８ｂに対向させた状態で設けられ、リング部材３０の脚部３８は貫通孔８ｂを通って溝４１に係合するようになっていることから、脚部３８と貫通孔８ｂとの間のわずかな隙間から入った外光が脚部３８に沿って溝４１に入ったとしても、溝４１は底を有するので、溝４１を通り抜けることはできず、フィルムの方に外光が到達することを防ぐことができる。
また、溝４１の開口が貫通孔８ｂにほぼ対向しているということは、貫通孔８ｂが開口の周囲によって、つまりカム部材４０により被われていることにもなり、その点においても、外光は鏡胴２の奥に進行しにくくなる。
さらに、カム部材４０が第２レンズ枠９に被われるように取り付けられていることで、カム部材４０の開口の周囲を形成する面が、第２レンズ枠９に連続しているので、貫通孔８ｂは、第２レンズ枠９によっても被われていることになり、より一層貫通孔８ｂから鏡胴２内部に入射した外光はフィルムに達しにくくなる。また、カム部材４０が第２レンズ枠９により被われることで、レバー４５も第２レンズ枠９により被われているので、レバー４５を伝って外光がフィルムの方に向かうこともない。
【００３４】
なお、上記実施の形態においては、カム部材４０は第２レンズ枠９の内周面に取り付けられていたが、本発明はこれに限定されることはなく、たとえば、第１レンズ枠８に取り付けられていてもよい。その場合、テレ状態になっても、リング部材３０とカム部材４０は係合したままとなる。
また、カム部材４０は、円筒形状でなくてもよく、円筒形状の一部からなるような形状でもよい。
さらに、カメラ１のバリアはバリア２１とバリア２５の２枚によって構成されていたが、本発明では１枚で構成されてもよい。
【００３５】
【発明の効果】
請求項１に記載の発明によれば、バリアを開閉駆動するバリア駆動部材の脚部は、バリア駆動部材の裏側に設けられている長孔に対してその短軸方向においてほぼ隙間のない状態で挿通され、さらに溝部材に形成されている底を有する溝に係合するようになっており、前記溝の開口は前記長孔にほぼ対向していることから、脚部と長孔の間のわずかな隙間から入った外光が脚部に沿って溝部材に入ったとしても、溝は底を有するので、溝部材を通り抜けることはできず、フィルムの方に外光が到達することを防ぐことができる。また、溝の開口が前記孔にほぼ対向しているということは、長孔が開口の周囲によって、つまり溝部材により被われていることにもなり、その点においても長孔から入った外光がカメラ内部に進行しにくくなる。したがって、外光によるフィルムの露光を防ぐことができる。
【００３６】
請求項２に記載の発明によれば、請求項１に記載の発明の効果に加えて、溝部材の開口の周囲を形成する面が、鏡胴を構成する円筒形状の部材に連続しているので、前記長孔は、溝部材だけでなく溝部材に連続する円筒形状の部材によっても被われており、より一層長孔から入射した外光はフィルムに達しにくくなる。
【００３７】
請求項３に記載の発明によれば、当接部材や係合部材を介して、バリア駆動部材と溝部材の両方の部材を回転駆動し、バリアを開閉するように構成されていることから、請求項１または２の発明を好適に実現できる。
【図面の簡単な説明】
【図１】本発明のカメラの一例を示したもので、鏡胴がカメラ内部に収納された状態を示す断面図である。
【図２】図１の状態におけるカム部材とレバーの関係を示す平面図である。
【図３】図１の状態におけるバリアとその周辺の部材を示す平面図であり、第１レンズ枠は省略されている。
【図４】図１の一部を示す拡大断面図である。
【図５】リング部材を示す平面図である。
【図６】バリアが開くときのカム部材とレバーの関係を示す平面図である。
【図７】バリアが開いた状態を示す平面図であり、第１レンズ枠が省略されている。
【図８】図１のカメラのワイド状態を示す断面図である。
【図９】図１のカメラのテレ状態を示す断面図である。
【符号の説明】
１    カメラ
２    鏡胴
８    第１レンズ枠
８ｂ  貫通孔（孔）
１５    制御回路（駆動回路）
２０    操作ツマミ
２１、２５    バリア
２３      第１バネ
２７      第２バネ
３０      リング部材（バリア駆動部材）
３８      脚部
４０      カム部材（溝部材）
４１      溝
４２ａ      カム面
４５      レバー（係合部材）
４８      ボス
５０      カギ板（当接部材）
【図１】
0004240248.tif 000002
【図２】
0004240248.tif 000003
【図３】
0004240248.tif 000004
【図４】
0004240248.tif 000005
【図５】
0004240248.tif 000006
【図６】
0004240248.tif 000007
【図７】
0004240248.tif 000008
【図８】
0004240248.tif 000009
【図９】
0004240248.tif 000010